(57)【要約】【課題】この発明は、ＳＦカードの残額をＩＣカードに移し替えることができるカード処理機を提供することを課題とする。【解決手段】カード処理機１は、ＳＦカード口２を介して投入されたＳＦカードから残額データを読み取るとともに残額データを消去するＳＦカード処理部５、ＩＣカード口３を介して投入されたＩＣカードの残額データを書き替えるＩＣカード処理部７、およびＣＰＵ１０を有する。ＣＰＵ１０は、操作・表示パネル４の移し替え釦が入力されてＳＦカードが投入されたとき、ＩＣカードの投入を促す画面を表示して、利用客により投入されたＩＣカードにＳＦカードの残額を移し替える。【選択図】    図１
2004287529.tif 000002
【特許請求の範囲】
【請求項１】
前払いした金額が利用金額に応じて書き替えられる第１のカードを挿脱するための第１カード口と、
所望する金額をチャージ可能であるとともにチャージした金額が利用金額に応じて書き替えられる第２のカードを挿脱するための第２カード口と、
上記第１カード口を介して投入された第１のカードの残額を上記第２カード口を介して投入された第２のカードに移し替える移し替え処理部と、を備えていることを特徴とするカード処理機。
【請求項２】
上記移し替え処理部は、上記第１のカードの残額を読み取る読取部と、読み取った残額を上記第２のカードへチャージする書込み部と、を備えていることを特徴とする請求項１に記載のカード処理機。
【請求項３】
上記第１のカードは、磁気により金額に関するデータを書き替え可能なプリペイドカードであり、上記第２のカードは、無線により金額に関するデータを書き替え可能なＩＣカードであることを特徴とする請求項１に記載のカード処理機。
【請求項４】
前払いした乗車運賃の残額データを保持したＳＦカードを挿脱するためのＳＦカード口と、
利用客が予めチャージした乗車運賃の残額データを保持したＩＣカードを挿脱するためのＩＣカード口と、
上記ＳＦカード口を介して投入されたＳＦカードが保持している残額データを読み取るとともに、残額データを消去するＳＦカード処理部と、
上記ＩＣカード口を介して投入されたＩＣカードが保持している残額データを書き替えるＩＣカード処理部と、
上記ＳＦカード処理部でＳＦカードから読み取った残額データを、上記ＩＣカード口を介して投入されたＩＣカードへ移し替えるように、上記ＩＣカード処理部を制御する制御部と、を備えていることを特徴とするカード処理機。
【請求項５】
上記制御部は、ＳＦカードの残額データをＩＣカードに移し替えたとき、ＳＦカードの残額データを消去するように上記ＳＦカード処理部を制御することを特徴とする請求項４に記載のカード処理機。
【請求項６】
上記ＳＦカード処理部で残額データが消去されたＳＦカードに残額がゼロであることを印字する印字部をさらに備えていることを特徴とする請求項５に記載のカード処理機。
【請求項７】
上記制御部は、上記ＳＦカード処理部で残額データが消去されて上記印字部で印字されたＳＦカードを上記ＳＦカード口を介して利用客に返却することを特徴とする請求項６に記載のカード処理機。
【請求項８】
上記ＳＦカードから上記ＩＣカードへ移し替えた金額を表示する表示部をさらに備えていることを特徴とする請求項４に記載のカード処理機。
【発明の詳細な説明】
【０００１】
【発明の属する技術分野】
この発明は、ＳＦカードやＩＣカードを処理するカード処理機に関する。
【０００２】
【従来の技術】
現在、鉄道の駅改札口に設置された自動改札機を通過する際には、券売機で購入した乗車券の他に、乗車運賃を前払いしたプリペイド方式のＳＦカードや、定期券に関する情報を記憶したＩＣカード（例えば、Ｓｕｉｃａ）が自動改札機に投入される。
【０００３】
このＩＣカードは、定期券として利用できるとともに、前もってチャージした乗車運賃の範囲内でＳＦカードとしても利用できる。このため、近年、ＳＦカードの代りにＩＣカードを利用する利用客が増えつつある。
【０００４】
【発明が解決しようとする課題】
しかし、ＳＦカードからＩＣカードへの過渡期において、利用客は、両方のカード所持することになり、利便性に欠ける問題があった。
【０００５】
この発明は、以上の点に鑑みなされたもので、その目的は、ＳＦカードの残額をＩＣカードに移し替えることができるカード処理機を提供することにある。
【０００６】
【課題を解決するための手段】
上記目的を達成するため、本発明のカード処理機は、前払いした金額が利用金額に応じて書き替えられる第１のカードを挿脱するための第１カード口と、所望する金額をチャージ可能であるとともにチャージした金額が利用金額に応じて書き替えられる第２のカードを挿脱するための第２カード口と、上記第１カード口を介して投入された第１のカードの残額を上記第２カード口を介して投入された第２のカードに移し替える移し替え処理部と、を備えている。
【０００７】
また、本発明のカード処理機は、前払いした乗車運賃の残額データを保持したＳＦカードを挿脱するためのＳＦカード口と、利用客が予めチャージした乗車運賃の残額データを保持したＩＣカードを挿脱するためのＩＣカード口と、上記ＳＦカード口を介して投入されたＳＦカードが保持している残額データを読み取るとともに、残額データを消去するＳＦカード処理部と、上記ＩＣカード口を介して投入されたＩＣカードが保持している残額データを書き替えるＩＣカード処理部と、上記ＳＦカード処理部でＳＦカードから読み取った残額データを、上記ＩＣカード口を介して投入されたＩＣカードへ移し替えるように、上記ＩＣカード処理部を制御する制御部と、を備えている。
【０００８】
【発明の実施の形態】
以下、図面を参照しながらこの発明の実施の形態について詳細に説明する。
【０００９】
図１には、この発明の実施の形態に係るカード処理機１の概略構成をブロック図にして示してある。ここでは、カード処理機１として、鉄道の駅に設置された券売機に本発明を適用した場合について説明する。
【００１０】
カード処理機１は、メモリ１１に記憶されている制御プログラムに従ってカード処理機１の動作を制御するＣＰＵ１０（制御部）を有する。ＣＰＵ１０には、乗車運賃を前払いしたプリペイドカード、すなわち乗車運賃の残額データを利用金額に応じて磁気により書き替え可能なＳＦカード（第１のカード）を挿脱するためのＳＦカード口２（第１カード口）、乗車運賃をチャージ可能であるとともに乗車運賃の残額データを利用金額に応じて無線により書き替え可能なＳｕｉｃａなどのＩＣカード（第２のカード）を挿脱するためのＩＣカード口３（第２カード口）、利用客による各種操作入力を受け付けるとともに利用客に対して各種操作案内を表示するタッチパネル式の操作・表示パネル４（表示部）、ＳＦカード口２を介して投入されたＳＦカードが保持している残額データを磁気的に読み取るとともに残額データを磁気的に書き替える（消去する）ＳＦカード処理部５（読取部）、ＳＦカード処理部５で残額データが消去されたＳＦカードに必要事項を印字する印字部６、およびＩＣカード口３を介して投入されたＩＣカードが保持している残額データを書き替えるＩＣカード処理部７（書込み部）が接続されている。尚、上述したＳＦカード処理部５、ＩＣカード処理部７、およびＣＰＵ１０は、本発明の移し替え処理部として機能する。
【００１１】
次に、上記構成のカード処理機１の動作について、図２および図３のフローチャートとともに図４乃至図８を参照して説明する。
【００１２】
カード処理機１のＣＰＵ１０は、待機状態で、操作・表示パネル４を介して、図４に示す操作画面を表示している。この状態で、利用客により、ＳＦカード残額をＩＣカードに移し替えるための移し替え釦２１が入力されて（図２、ステップ１；ＹＥＳ）、ＳＦカード口２を介してＳＦカードが投入されると（ステップ２；ＹＥＳ）、ＣＰＵ１０は、ＳＦカード処理部５を介してＳＦカードの残額をチェックする（ステップ３）。
【００１３】
ステップ３でＣＰＵ１０がＳＦカードの残額がゼロであることを判断すると（ステップ４；ＮＯ）、ＣＰＵ１０は、操作・表示パネル４を介して、利用客に対して“ＳＦカードの残額はゼロ円です。”を表示する（ステップ５）。この後、ＣＰＵ１０は、ＳＦカード口２を介して当該ＳＦカードを利用客に返却する（ステップ６）。
【００１４】
一方、ステップ３でＳＦカードの残額がゼロではないことをＣＰＵ１０が判断すると（ステップ４；ＹＥＳ）、ＣＰＵ１０は、操作・表示パネル４を介して、利用客に対して図５に示す案内画面を表示する（ステップ７）。この画面を確認した利用客によってＩＣカード口３を介してＩＣカードが投入されると（ステップ８；ＹＥＳ）、ＣＰＵ１０は、ステップ３でＳＦカードから読み取った残額データをＩＣカードに移し替える（ステップ９）。この移し替え処理中に、ＣＰＵ１０は、操作・表示パネル４を介して、図６に示す処理画面を表示する。
【００１５】
そして、ステップ９の移し替え処理が終了すると、ＣＰＵ１０は、ＳＦカード口２を介してＳＦカードを利用客に返却するとともに、ＩＣカード口３を介してＩＣカードを利用客に返却し（ステップ１０）、取引が終了する。
【００１６】
ステップ９の移し替え処理では、ＣＰＵ１０は、ＳＦカード処理部５を介してＳＦカードの残額データを読み取って消去し（ステップ９１）、印字部６を介して、残額がゼロ円になったことをＳＦカードに印字する（ステップ９２）。このとき、ＳＦカードの表面に印字される印字内容を図７に示す。
【００１７】
そして、ＣＰＵ１０は、ステップ９１でＳＦカードから読み取った残額データに基づいて、ＩＣカード処理部７を介して、ＩＣカードへ残額全てをチャージする（ステップ９３）。最後に、ＣＰＵ１０は、操作・表示パネル４を介して、利用客に対して、図８に示す取引終了画面を表示する（ステップ９４）。
【００１８】
以上のように、本実施の形態によると、利用客の操作により、ＳＦカードの残額をＩＣカードに移し替えることができる。このため、利用客は、ＳＦカードとＩＣカードを同時に所持する必要がなくなり、ＳＦカードからＩＣカードへの過渡期にある利用客の利便性を向上させることができる。
【００１９】
尚、この発明は、上述した実施の形態に限定されるものではなく、この発明の範囲内で種々変形可能である。例えば、上述した実施の形態では、ＳＦカードの残額の全てをＩＣカードに移し替える場合について説明したが、これに限らず、ＳＦカードの残額の一部をＩＣカードに移し替えるようにしても良い。
【００２０】
【発明の効果】
以上説明したように、この発明のカード処理機は、上記のような構成および作用を有しているので、利用客の操作により、ＳＦカードの残額をＩＣカードに確実且つ容易に移し替えることができる。
【図面の簡単な説明】
【図１】この発明の実施の形態に係るカード処理機の概略構成を示すブロック図。
【図２】図１のカード処理機による処理動作を説明するためのフローチャート。
【図３】図２の移し替え処理動作を説明するためのフローチャート。
【図４】図１のカード処理機の待機状態における操作画面を示す図。
【図５】図１のカード処理機で表示する案内画面を示す図。
【図６】図１のカード処理機で表示する処理画面を示す図。
【図７】図１のカード処理機でＳＦカードに印字する印字内容を示す図。
【図８】図１のカード処理機で表示する取引終了画面を示す図。
【符号の説明】
１…カード処理機、２…ＳＦカード口、３…ＩＣカード口、４…操作・表示パネル、５…ＳＦカード処理部、６…印字部、７…ＩＣカード処理部、１０…ＣＰＵ、１１…メモリ、２１…移し替え釦。
【図１】
2004287529.tif 000003
【図２】
2004287529.tif 000004
【図３】
2004287529.tif 000005
【図４】
2004287529.tif 000006
【図５】
2004287529.tif 000007
【図６】
2004287529.tif 000008
【図７】
2004287529.tif 000009
【図８】
2004287529.tif 000010